(57)【要約】【課題】携帯端末を保持した使用者が特定のエリアへ移動した場合に、任意のアプリケーションの起動または終了を低消費電力無線装置によって制御する方法の提供を目的とする。【解決手段】携帯端末は低消費電力無線装置１を内臓もしくは外部接続した装置を含み、低消費電力無線装置１の制御アプリケーション及び、起動または終了を行う対象アプリケーションを持つ。低消費電力無線装置２は対象アプリケーションの制御を行いたい場所に配置する。低消費電力無線装置１は携帯端末の制御アプリケーションにより制御され、低消費電力無線装置２と送信、受信を行い情報を制御アプリケーションに伝達する。携帯端末の制御アプリケーションは、事前登録された低消費電力無線装置２に対する情報から対象アプリケーションの情報から対象アプリケーションの起動または終了を制御する。【選択図】図１
2015012599.tif 000002
【特許請求の範囲】
【請求項１】
ディスプレイ部、入力部、プロセッサ、内蔵型の低消費電力無線装置、低消費電力無線装置の制御アプリケーションソフトを持つ携帯端末と、携帯端末の任意のアプリケーションの起動もしくは終了を行いたい場所に配置する低消費電力無線装置と、携帯端末にユーザインターフェースを持ち他の低消費電力無線装置の個体識別のＩＤ登録、電波強度の登録、対象アプリケーションの登録、対象アプリケーションの起動または終了の登録、及び対象アプリケーションの起動時に動作設定の登録が行える制御アプリケーションソフトから構築されるシステム。
【請求項２】
請求項１記載の携帯端末において、内蔵型の低消費電力無線装置に代えて外部接続型の低消費電力無線装置の携帯端末。
【請求項３】
請求項１、請求項２の低消費電力無線装置は、ＺｉｇＢｅｅ無線装置。
【請求項４】
請求項１の個体識別のＩＤは、Ｚｉｇｂｅｅが持つＩＥＥＥ６４ｂｉｔ、Ｚｉｇｂｅｅネットワークが持つＰＡＮＩＤ、携帯端末が持つ携帯番号、ＭＡＣアドレス、または使用者が定めた任意の文字列。
【発明の詳細な説明】
【技術分野】
【０００１】本発明は、事前に設置された低消費電力無線装置で定めた特定エリアにおいて、携帯端末が持つ低消費電力無線装置を使用し、低消費電力無線装置が相互通信することにより、携帯端末の制御アプリケーションから携帯端末が持つ他のアプリケーションの起動または終了を制御する方法に関する。
【背景技術】
【０００２】携帯端末は、情報端末装置として持ち運ぶことが可能であり、種々のアプリケーション、通信装置を持つ。携帯端末の使用者は必要に応じて、携帯端末のアプリケーションの起動または終了を手動にて操作を行う必要がある。【０００３】携帯電波を使用した通信装置の制御、通信装置自体が持つ制御アプリケーションは存在するが、実用面での制御の精度、消費電力の問題が存在する。低消費電力無線装置による任意のアプリケーションの制御は実現されていない。参考特許１は、移動経路を監視するシステムであある。移動範囲に対しエリアを特定するために広範囲に通信装置を配備する必要があり、環境の構築が難しい。【０００４】参考特許２において、使用者はシステムが提供するアプリケーションの機能・範囲内でのみ利用が可能である。参考特許３、参考特許４のシステムは、キャリア以外の無線通信手段の切換を実現している。しかし、共に使用者の望む任意のアプリケーションを対象にすることができない。
【発明の概要】
【発明が解決しようとする課題】
【０００５】携帯端末の使用者は必要に応じて、携帯端末のアプリケーションの起動または終了を手動にて操作を行う必要がある。携帯電波を使用した通信装置の制御、通信装置自体が持つ制御アプリケーションは存在するが、実用面での制御の精度、消費電力の問題が存在する。キャリアの携帯電波を使用した位置の特定では、精度が粗く制御が意図と合わない場合がある。携帯端末のＷＩＦＩを起動状態で維持した場合は、消費電力が大きく、また意図しないネットワークに接続する場合がある。ＧＰＳを使用した位置測定では消費電力が激しく、また屋内での使用は制限される。携帯端末は消費電力が大きい場合は、機能を維持することが難しくなる。【０００６】以上を鑑み、本発明は携帯端末を保持した使用者が特定のエリアへ移動した場合に、低消費電力無線装置で任意のアプリケーションの起動または終了を使用者本人が手動で操作することなく、起動または終了する方法を提供することを目的とする。
【課題を解決するための手段】
【０００７】上記目的を達成するために、本発明の態様は移動可能な情報端末である低消費電力無線装置１を持つ携帯端末、特定場所を決めるための低消費電力無線装置２、携帯端末と低消費電力無線装置１を制御するアプリケーションを要旨とする（図１）。【０００８】携帯端末はディスプレイ部、入力部、及びプロセッサを持つ。携帯端末は低消費電力無線装置１を内臓（図２−ａ）もしくは外部接続した装置（図２−ｂ）を含む。携帯端末は、低消費電力無線装置１の制御アプリケーションを持つ。携帯端末は、自動で起動または終了を自動で行う対象アプリケーションを持つ。【０００９】対象アプリケーションは起動時に使用者の目的にあった設定が行われているか、または起動時の設定で目的が果たせるものとする。【００１０】低消費電力無線装置１は携帯端末の制御アプリケーションにより制御される。低消費電力無線装置１は低消費電力無線装置２と送信、受信を行い状況を制御アプリケーションに伝達する。【００１１】低消費電力無線装置２は携帯端末の対象アプリケーションの起動もしくは終了を行いたいエリアに配置する。対象エリアが複数ある場合は、対象エリアの各々に低消費電力無線装置２を配置する。低消費電力無線装置２は、低消費電力無線装置１とは異なる携帯端末が持つ低消費電力無線装置、または移動する物体に配置された低消費電力無線装置であっても良い。その他に対象エリアが１つの低消費電力無線装置の電波範囲に収まらない場合は、低消費電力無線装置で構成されたネットワークによってカバーされているものとする。【００１２】携帯端末の制御アプリケーションは、ユーザインターフェースを持つ。制御アプリケーションは、ユーザインターフェースから低消費電力無線装置２の個体識別もしくはネットワークのＩＤ登録、低消費電力無線装置２の電波強度の登録、対象アプリケーションの登録、対象アプリケーションの起動または終了の登録、及び対象アプリケーションの起動設定を行える。制御アプリケーションは、低消費電力無線装置１から１〜６０秒間隔で個体識別のＩＤの無線送信を周期的に行う。（図３−ａ）制御アプリケーションは、低消費電力無線装置１からの受信情報もしくは低消費電力無線装置１から送信された電波の受信確認情報から登録された低消費電力無線装置２からの送信であることを個体識別のＩＤから確認する。制御アプリケーションは、低消費電力無線装置２からの送信を受信した場合に、受信した電波強度が登録された電波強度の範囲内または外であるかを確認する。制御アプリケーションは、電波強度が登録された電波強度範囲内の場合に、登録された対象アプリケーションの起動または終了を制御する。（図３−ｂ）制御アプリケーションは、低消費電力無線装置２からの送信を受信できない場合、対象アプリケーションが範囲外である判定を行い対象アプリケーションの起動または終了を制御する。対象アプリケーションは使用時には起動状態を維持しておく必要がある。低消費電力無線装置の送信情報には機器の属性情報を持たせることで無駄な送信、確認を省くことが可能である。
【発明の効果】
【００１３】本発明により、携帯端末を保持した使用者が、低消費電力無線装置２が置かれた特定の場所へ移動した場合に、任意のアプリケーションの起動または終了を自動で行うことを可能にし、低消費電力無線装置の使用により消費電力を抑え、携帯端末は常時低消費電力無線装置を起動状態維持するが可能になる。また、特定エリアにおかれた複数の低消費電力無線装置は、複数の携帯端末と新たな相互ネットワークを形成することができ、別システムへの基盤となる。
【図面の簡単な説明】
【００１４】
【図１】本発明の構成図である。
【図２−ａ】内臓型の低消費電力無線装置を持つ携帯端末の概略図である。
【図２−ｂ】外付け型の低消費電力無線装置を持つ携帯端末の概略図である。
【図３−ａ】制御アプリケーションの電波受信時の制御フローである。
【図３−ｂ】制御アプリケーションの範囲外判定の制御フローである。
【図４】無線ＬＡＮ無線装置との接続実施例である。
【図５】携帯端末３と携帯端末４の実施例である。
【図６】Ｂｌｕｅｔｏｏｔｈ無線とカーナビ装置との接続実施例である。
【発明を実施するための形態】
【００１５】以下に示す実施例１、実施例２は本発明の技術的思想を具体化するための装置や方法を例示するためのものであって、低消費電力無線装置の配置、対象アプリケーションの限定、制御アプリケーションの機能を限定するものではない。本発明のシステム的思想は、特許請求の範囲に記載された技術的範囲内において、種々の変更を加えることができる。
【実施例１】
【００１６】図４に示すように携帯端末は無線ＬＡＮ無線装置によりＬＡＮネットワークへの接続機能を持ち、対象アプリケーションに無線ＬＡＮ制御アプリケーションとする。携帯端末側の低消費電力無線装置１は内蔵型とし、場所を特定するための、低消費電力無線装置２は、無線ＬＡＮルータの近傍に置くこととする。この場合は、自宅、職場または無線ＬＡＮフリースポットのある店内などの屋内を想定するため、数〜数十ｍのエリアで通信可能な低消費電力無線装置１、低消費電力無線装置２を使用する。【００１７】制御アプリケーションは、事前に低消費電力無線装置２の個体識別のＰＡＮＩＤ、電波強度範囲、対象アプリケーションとして無線ＬＡＮ制御アプリケーション、範囲内で起動、範囲外で終了する設定がされているものとする。電波強度範囲は、低消費電力無線装置２の送信可能範囲内かつ、携帯端末と無線ＬＡＮルータの通信可能範囲内とする。【００１８】使用者が携帯端末の制御アプリケーションを起動した状態で、低消費電力無線装置２の設定された電波強度のエリア内に入った場合、低消費電力無線装置１は低消費電力無線装置２からの送信を受けとる。制御アプリケーションは低消費電力無線装置１からの通知を受け取り、図３−ａのフローに従い無線ＬＡＮ制御アプリケーションを起動する。起動された無線ＬＡＮ制御アプリケーションは、自体の機能によりＬＡＮネットワークへの接続を行う。使用者は、携帯端末を操作してＬＡＮネットワークへの接続を行う必要がなくなる。【００１９】使用者が低消費電力無線装置２の設定された電波強度範囲外に出た場合、もしくは低消費電力無線装置１は低消費電力無線装置２からの送信を受けとることができないエリアに出た場合、制御アプリケーションは図３−ｂのフローに従い無線ＬＡＮ制御アプリケーションを終了する。終了された無線ＬＡＮ制御アプリケーションは、自体の機能によりＬＡＮネットワークへの接続を切断する。【００２０】使用者は、エリアの内外によって携帯端末のアプリケーションの起動または終了を自動で制御可能になる。また、低消費電力無線装置の使用により消費電力を抑え、制御アプリケーションの機能を維持することが容易になる。
【実施例２】
【００２１】図５に示すように携帯端末３は低消費電力無線装置１を内蔵型し、携帯端末４は低消費電力無線装置２を内蔵しているとする。数〜数十ｍのエリアで通信可能な低消費電力無線装置１、低消費電力無線装置２を使用する。【００２２】携帯端末３と携帯端末４の制御アプリケーションは、事前に互いの低消費電力無線装置の個体識別のＰＡＮＩＤ、電波強度範囲、対象アプリケーションとして音楽再生のアプリケーション、範囲内で起動、範囲外で終了する設定がされているものとする。電波強度の設定は、任意の強度とする。【００２３】携帯端末３の使用者５が制御アプリケーションを起動した状態で、携帯端末４の使用者６にエリア外から近づいた場合、使用者６は音楽再生のアプリケーションで音楽が鳴ることで使用者５の接近を気づくことが可能になる。使用者５は使用者６の場所を特定することが可能になる。人ごみでの待合わせ、面識のない相手との待合わせに利用できる。
【実施例３】
【００２４】図６に示すように携帯端末はＢｌｕｅｔｏｏｔｈによりカーナビとの接続機能を持ち、対象アプリケーションにＢｌｕｅｔｏｏｔｈ制御アプリケーションとする。携帯端末側の低消費電力無線装置１は内蔵型とし、エリアを特定するための、低消費電力無線装置２は、自動車のカーナビ近傍に置くこととする。この場合は、数ｍのエリアで通信可能な低消費電力無線装置１、低消費電力無線装置２を使用する。【００２５】制御アプリケーションは、事前に低消費電力無線装置２の個体識別のＰＡＮＩＤ、電波強度範囲、対象アプリケーションとしてＢｌｕｅｔｏｏｔｈ制御アプリケーション、範囲内で起動、範囲外で終了する設定がされているものとする。電波強度範囲は、低消費電力無線装置２の送信可能範囲内かつ、携帯端末とカーナビのＢｌｕｅｔｏｏｔｈの通信可能範囲内とする。【００２６】使用者が携帯端末の制御アプリケーションを起動した状態で、低消費電力無線装置２の設定された電波強度のエリア内に入った場合、低消費電力無線装置１は低消費電力無線装置２からの送信を受けとる。制御アプリケーションは低消費電力無線装置１からの通知を受け取り、図３−ａのフローに従いＢｌｕｅｔｏｏｔｈ制御アプリケーションを起動する。起動されたＢｌｕｅｔｏｏｔｈ制御アプリケーションは、自体の機能によりＢｌｕｅｔｏｏｔｈからカーナビへの接続を行う。使用者はＢｌｕｅｔｏｏｔｈ接続を意識することなくカーナビから携帯端末のテザリング機能、携帯端末内の音楽再生などを行うことが可能になる。【００２７】使用者が低消費電力無線装置２の設定された電波強度範囲外に出た場合、もしくは低消費電力無線装置１は低消費電力無線装置２からの送信を受けとることができないエリアに出た場合、制御アプリケーションは図３−ｂのフローに従いＢｌｕｅｔｏｏｔｈ制御アプリケーションを終了する。終了されたＢｌｕｅｔｏｏｔｈ制御アプリケーションは、自体の機能によりＬＡＮネットワークへの接続を切断する。
【産業上の利用可能性】
【００２８】本発明のシステムは携帯端末を保持した人間の移動に伴い、携帯端末の通信装置の起動・終了に利用可能であり、携帯電話のネットワークを他のネットワークに分散させるオフロード対策に使用可能である。
【符号の説明】
【００２９】１  低消費電力無線装置１
２  低消費電力無線装置２
３  携帯端末３
４  携帯端末４
５  使用者５
６  使用者６【００３０】
【参考特許１】
特開２００６−２０９５３
【参考特許２】
特開２００８−１３１５９４
【参考特許３】
特開２００４−３５０１０８
【参考特許４】
特開２００４−１５３４０４
【図１】
2015012599.tif 000003
【図２−ａ】
2015012599.tif 000004
【図２−ｂ】
2015012599.tif 000005
【図３−ａ】
2015012599.tif 000006
【図３−ｂ】
2015012599.tif 000007
【図４】
2015012599.tif 000008
【図５】
2015012599.tif 000009
【図６】
2015012599.tif 000010